(57)【要約】【課題】  施設管理システム及び施設管理方法において、施工及び運用コストなどを低くすると共にネットワークセキュリティの問題を生じ難くし、さらに複数のビルなどの集中管理を容易にすること。【解決手段】  オフィスビル１に設置されたセンサ２で取得した検査情報を管理する施設管理システムであって、センサ２と、センサ２で取得した検査情報をデータとしてオフィスビル１内の電力線Ｌを介して送信する電力線送信部を有し電力線Ｌのコンセントジャックに接続可能な電力線通信装置５と、電力線Ｌを介してデータを受信する内部受信部と受信したデータをＷＡＮ７を介して送信する外部送信部とを有しオフィスビル１に設置された中継装置９と、データをＷＡＮ７を介して受信するネットワーク受信部を有する管理装置１１と、を備えている。【選択図】      図１
2007228394.tif 000002
【特許請求の範囲】
【請求項１】
施設に設置されたセンサで取得した検査情報を管理する施設管理システムであって、
前記センサと、
前記センサで取得した検査情報をデータとして前記施設内の電力線を介して送信する電力線送信部を有し前記電力線のコンセントジャックに接続可能な電力線通信装置と、
前記電力線を介して前記データを受信する内部受信部と受信した前記データを外部ネットワークを介して送信する外部送信部とを有し前記施設に設置された中継装置と、
前記データを前記外部ネットワークを介して受信するネットワーク受信部を有する管理装置と、を備えていることを特徴とする施設管理システム。
【請求項２】
請求項１に記載の施設管理システムにおいて、
前記センサと前記電力線通信装置とが、一体に設けられていることを特徴とする施設管理システム。
【請求項３】
請求項１に記載の施設管理システムにおいて、
前記センサが、前記検査情報を無線送信する無線送信部を備え、
前記電力線通信装置が、前記検査情報を無線受信する無線受信部を備えていることを特徴とする施設管理システム。
【請求項４】
請求項１から３のいずれか一項に記載の施設管理システムにおいて、
前記中継装置と前記管理装置とが、前記外部ネットワークの中にバーチャルプライベートネットワークを設定して接続されることを特徴とする施設管理システム。
【請求項５】
請求項４に記載の施設管理システムにおいて、
前記バーチャルプライベートネットワークが、前記センサを利用形態に応じてクラス分けし、これらクラスに応じて該当する前記センサへのアクセスを許可するように設定されていることを特徴とする施設管理システム。
【請求項６】
請求項１から５のいずれか一項に記載の施設管理システムにおいて、
前記管理装置が、特定の前記センサの識別情報を前記外部ネットワークを介して該センサに対応した前記中継装置に対して送信するネットワーク送信部を有し、
前記中継装置が、前記外部ネットワークを介して特定の前記センサの識別情報を受信する外部受信部を有し、前記外部送信部が、受信した前記識別情報に対応した前記センサのデータのみを前記外部ネットワークを介して送信することを特徴とする施設管理システム。
【請求項７】
施設に設置されたセンサで取得した検査情報を管理する施設管理方法であって、
前記施設内の電力線のコンセントジャックに接続された電力線通信装置が有する電力線送信部が、前記施設に設置されたセンサで取得した検査情報をデータとして前記電力線を介して送信するステップと、
前記施設に設置された中継装置の内部受信部が、前記電力線を介して前記データを受信するステップと、
前記中継装置の外部送信部が、受信した前記データを外部ネットワークを介して送信するステップと、
管理装置のネットワーク受信部が、前記データを前記外部ネットワークを介して受信するステップと、を有していることを特徴とする施設管理方法。
【発明の詳細な説明】
【技術分野】
【０００１】
本発明は、オフィスビルなどの施設おいて各種センサにより取得した室内温度などの検査情報を集中管理可能な施設管理システム及び施設管理方法に関する。
【背景技術】
【０００２】
一般に、オフィスビルなどの施設内において、空調や照明などの管理を定期的に行っているが、従来、当該施設の設備管理会社などが定期的に作業者を派遣して検査をすることで管理を行っている。このように作業者が直接、施設内で空調や照明などの検査を行うことは、一時的な検査であると共に人件費がかかるため、自動的に管理する方法が検討されている。
【０００３】
例えば、特許文献１では、ビルに設置された空気調和機の運転状態の監視を、ビル内に専用に構築されたビル管理通信ネットワークを介して行う空調制御監視装置及びビル管理システムが提案されている。
また、特許文献２では、屋内に複数設置されたガス漏れセンサや温度センサなどの種々のセンサによる検出信号を送信装置部によって屋内給電線を介して送信し、受信装置部で受信して各種センサの動作を確認する電力線搬送による防犯防災監視集中監視システムが提案されている。
【０００４】
【特許文献１】特開２００５−３０８２７８号公報
【特許文献２】特開昭６１−５１２９４号公報
【発明の開示】
【発明が解決しようとする課題】
【０００５】
上記従来の技術には、以下の課題が残されている。
すなわち、オフィスビルなどの各階毎に異なる企業などが入居しているような施設では、空調などの環境検査を行う場合に、各部屋に配置したセンサや検査装置から検査情報を、入居者も利用するビル内のネットワークを介して通信して検査を行うことはセキュリティの問題から実際は困難である。
また、特許文献１の技術のように、専用のビル管理通信ネットワークをビル内に設けて専用ネットワークを介して検査を行う場合、検査用の専用ネットワークを設置する必要があり、施工コスト及びネットワークコストが高くなる不都合がある。
さらに、特許文献２の技術では、既存の屋内給電線を用いて電力線搬送による通信で検出信号を送受信しているが、検出信号の解析を行う場合に、各施設毎に解析装置などの設備を設置する必要が生じ、設置コストや運用コストが高くなる問題がある。
また、上記従来技術のいずれも１つの施設毎に管理を行う技術であり、複数のビルなどを集中管理することができない。
【０００６】
本発明は、前述の課題に鑑みてなされたもので、施工及び運用コストなどが低いと共にネットワークセキュリティの問題が生じ難く、さらに複数のビルなどの集中管理が容易な施設管理システム及び施設管理方法を提供することを目的とする。
【課題を解決するための手段】
【０００７】
本発明は、前記課題を解決するために以下の構成を採用した。すなわち、本発明の施設管理システムは、施設に設置されたセンサで取得した検査情報を管理する施設管理システムであって、前記センサと、前記センサで取得した検査情報をデータとして前記施設内の電力線を介して送信する電力線送信部を有し前記電力線のコンセントジャックに接続可能な電力線通信装置と、前記電力線を介して前記データを受信する内部受信部と受信した前記データを外部ネットワークを介して送信する外部送信部とを有し前記施設に設置された中継装置と、前記データを前記外部ネットワークを介して受信するネットワーク受信部を有する管理装置と、を備えていることを特徴とする。
【０００８】
また、本発明の施設管理方法は、施設に設置されたセンサで取得した検査情報を管理する施設管理方法であって、前記施設内の電力線のコンセントジャックに接続された電力線通信装置が有する電力線送信部が、前記施設に設置されたセンサで取得した検査情報をデータとして前記電力線を介して送信するステップと、前記施設に設置された中継装置の内部受信部が、前記電力線を介して前記データを受信するステップと、前記中継装置の外部送信部が、受信した前記データを外部ネットワークを介して送信するステップと、管理装置のネットワーク受信部が、前記データを前記外部ネットワークを介して受信するステップと、を有していることを特徴とする。
【０００９】
これらの施設管理システム及び施設管理方法では、センサからの検査情報をコンセントに接続した電力線通信装置によって既存の電力線を用いて中継装置に送信するため、ユーザ利用のネットワークや専用ネットワークを必要とせず、施工及び運用コストなどが低いと共にネットワークセキュリティの問題が生じ難い利点がある。また、電力線通信装置をコンセントに接続するだけで通信接続が可能であり、特別な施工を必要とせず、電力線通信装置の取り付け又は取り外しが容易で低コストに行えることから、常時設置だけでなく一時的な設置も容易であると共に施工時における入居者の業務中断などの負担も極めて少ない。また、施設にはサーバやルータなどの中継装置を設けるだけで、解析などを行う管理装置を施設内に設置する必要が無いため、遠隔地などにある設備管理会社などに設置した一つの管理装置により複数の施設（ビルなど）を外部ネットワークを介して集中管理することが可能であると共に、施設毎の設備コストを低減することができる。
【００１０】
また、本発明の施設管理システムは、前記センサと前記電力線通信装置とが、一体に設けられていることを特徴とする。すなわち、この施設管理システムでは、センサと電力線通信装置とが一体となっているので、電力線通信装置をコンセントに接続するだけでセンサも同時に設置されることになり、センサを別途設置する必要がなく、より設置が容易となると共に設置コストを低減することができる。
【００１１】
また、本発明の施設管理システムは、前記センサが、前記検査情報を無線送信する無線送信部を備え、前記電力線通信装置が、前記検査情報を無線受信する無線受信部を備えていることを特徴とする。すなわち、この施設管理システムでは、センサが無線送信部を備えていると共に電力線通信装置が無線受信部を備えて無線で検査情報を送受信するので、センサを電力線通信装置から離間した位置に設置することができ、配線が不要となると共にセンサ設置位置の高い自由度を得ることができる。
【００１２】
また、本発明の施設管理システムは、前記中継装置と前記管理装置とが、前記外部ネットワークの中にバーチャルプライベートネットワーク（ＶＰＮ：仮想閉域網）を設定して接続されることが好ましい。すなわち、この施設管理システムでは、中継装置と管理装置とが、外部ネットワークの中にＶＰＮを設定して接続されるので、専用線を使用しているのと同様に特定ユーザだけで構成される閉域網で送受信でき、外部ネットワークにおいて高いセキュリティを得ることができる。
【００１３】
さらに、本発明の施設管理システムは、前記バーチャルプライベートネットワークが、前記センサを利用形態に応じてクラス分けし、これらクラスに応じて該当する前記センサへのアクセスを許可するように設定されていることを特徴とする。すなわち、この施設管理システムでは、センサの利用形態に応じて分けたクラス毎（例えば、管理会社毎や設置階毎）に、センサへのアクセス許可を制限的に与えるので、クラス単位で高いセキュリティを設定することができる。
【００１４】
また、本発明の施設管理システムは、前記管理装置が、特定の前記センサの識別情報を前記外部ネットワークを介して該センサに対応した前記中継装置に対して送信するネットワーク送信部を有し、前記中継装置が、前記外部ネットワークを介して特定の前記センサの識別情報を受信する外部受信部を有し、前記外部送信部が、受信した前記識別情報に対応した前記センサのデータのみを前記外部ネットワークを介して送信することを特徴とする。すなわち、この施設管理システムでは、複数のビルや複数のセンサを管理する場合、管理装置のネットワーク送信部により取得したい特定のセンサの識別情報を外部ネットワークを介して送信し、中継装置の外部受信部で受信すると共に受信した識別情報に対応したセンサの検査情報を外部ネットワークを介して管理装置に返送することで、個別に選択されたセンサの検査情報を常時、定期的又は一時的に任意に取得することができる。
【発明の効果】
【００１５】
本発明によれば、以下の効果を奏する。
すなわち、本発明に係る施設管理システム及び施設管理方法によれば、センサからの検査情報をコンセントに接続した電力線通信装置によって既存の電力線を用いて中継装置に送信するため、施工及び運用コストなどの低減を図ることができると共にネットワークセキュリティの問題が生じ難く、さらに複数のビルなどの集中管理を容易に行うことができる。したがって、既設の施設でも本システムを導入することが容易であると共に、入居者のセキュリティや負担に配慮した検査を実現することができる。また、管理装置による集中管理により任意に検査情報の取得が可能になるため、より自由度の高い検査管理を行うことができる。
【発明を実施するための最良の形態】
【００１６】
以下、本発明に係る施設管理システム及び施設管理方法の第１実施形態を、図１から図３を参照しながら説明する。
【００１７】
本実施形態の施設管理システムは、図１及び図２に示すように、例えば複数のフロアやオフィスなどの部屋１ａを持つ複数のオフィスビル（施設）１において、部屋１ａ内にセンサ２を設置して該センサ２で取得した空調や温度などの環境検査情報を集中管理するビル管理システムである。
【００１８】
この施設管理システムは、図１及び図２に示すように、内蔵された上記センサ２で取得した検査情報をデータとしてオフィスビル１内の電力線Ｌを介して送信する電力線送信部３を有し部屋１ａ内の電力線Ｌのコンセントジャック４に接続可能な電力線通信装置５と、電力線Ｌを介して上記データを受信する内部受信部６と受信した上記データをＷＡＮ（ワイドエリアネットワーク：外部ネットワーク）７を介して送信する外部送信部８とを有しオフィスビル１に設置された中継装置９と、上記データをＷＡＮ７を介して受信するネットワーク受信部１０を有し検査会社１９に設置された管理装置１１と、を備えている。
【００１９】
上記管理装置１１は、特定のセンサ２の識別情報をＷＡＮ７を介して該センサ２に対応した中継装置９に対して送信するネットワーク送信部１２と、ＷＡＮ７を介して中継装置９から送信されるデータを受信するネットワーク受信部１０と、を有している。
上記中継装置９は、ＷＡＮ７を介して特定のセンサ２の識別情報を受信する外部受信部１３と、特定のセンサ２の識別情報を電力線Ｌを介して送信する内部送信部１４と、を有している。
【００２０】
上記電力線通信装置５は、対応するセンサ２の識別情報を電力線Ｌを介して受信する電力線受信部１５を有していると共に、電力線送信部３が、当該識別情報を受信した際に内蔵するセンサ２による検査情報をその識別情報と共にデータとして電力線Ｌを介して送信する機能を有している。
そして、中継装置９の外部送信部８は、受信した識別情報に対応したセンサ２のデータのみをＷＡＮ７を介して送信する機能を有している。
【００２１】
なお、電力線通信装置５は、図３に示すように、電力線受信部１５、電力線送信部３及びセンサ２を収納した筐体１６と、該筐体１６から突出して設けられコンセントジャック４に接続可能なコンセントプラグ１７と、他の電化製品などの電気電子機器が接続可能で電気電子機器に電力線Ｌからの電力供給を可能にする通信装置コンセントジャック１８と、を備えている。
【００２２】
上記センサ２は、ガス漏れセンサ、温度センサ、湿度センサ、煙センサなどの火災探知センサ、照明光センサ、赤外線検知センサ、振動・衝撃センサ、ＩＣタグ検知センサなどの種々のセンサが用途や目的に応じて採用される。すなわち、検査情報として、ガス検知又はガス濃度、温度、湿度、煙検知、照度、赤外線による人体検知、振動・衝撃、タグ検出による個体の識別検知などの種々の情報のうち少なくとも一つがセンサ２により検出される。
【００２３】
上記中継装置９は、オフィスビル１内で一般オフィスユーザの入室が制限されセキュリティ管理されたビル管理室１ｂなどに設置されたサーバ又はルータである。なお、中継装置９も、内部送信部１４及び内部受信部６が電力線Ｌのコンセントジャック４に接続されている。
上記ＷＡＮ７は、例えばインターネット、ＩＳＤＮ、電話網、携帯電話のデータ通信回線網などが採用される。
上記管理装置１１は、オフィスビル１から離れた遠隔地などにある設備管理会社などの検査会社１９に設置されたコンピュータである。
【００２４】
また、中継装置９と管理装置１１とは、ＷＡＮ７の中にＶＰＮ（バーチャルプライベートネットワーク：仮想閉域網）を設定して接続される。すなわち、ＷＡＮ７中に特定のユーザだけが利用可能な通信網である仮想閉域網（ＶＰＮ）を設定して中継装置９と管理装置１１との接続を行う。例えば、ＷＡＮ７との接続にソフトイーサ（登録商標）の技術を採用する。このソフトイーサは、インターネットなどを経由し、異なるコンピュータ間又はネットワーク間をＶＰＮ接続できるトンネリングソフトウェアである。このソフトイーサを中継装置９及び管理装置１１に導入して両者間をＶＰＮ環境で接続する。
【００２５】
さらに、本施設管理システムでは、ＷＡＮ７のＶＰＮに接続可能なＶＰＮネットワークサーバであるサーバＳを備えている。このサーバＳは、上記ソフトイーサを用いて、ＶＰＮを介してセンサ２にアクセス可能になっている。
また、上記ＶＰＮは、上記ソフトイーサにより、センサ２（又はそのアドレス）を利用形態に応じてクラス分けし、これらクラスに応じて該当するセンサ２へのアクセスを許可するように設定されている。
すなわち、上記ソフトイーサは、ＶＰＮにおいて取り出す情報をクラス分けする設定が可能であり、ＶＰＮにおいて、センサ２を管理する管理会社や設置階等の利用形態に応じてセンサ２へのアクセス権限がクラス分けされている。
【００２６】
例えば、全てのセンサ２へのアクセスを許可するクラス１、室内環境の管理会社が管理する温度センサ、湿度センサ、照度センサ等のセンサ２へのアクセスを許可するクラス２、セキュリティ管理会社が管理する赤外線検知センサ、振動・衝撃センサ、ガス漏れセンサ等のセンサ２へのアクセスを許可するクラス３、フロア（オフィス）管理者が管理する１階や２階等の設置階又はオフィス毎のセンサ２にアクセスを許可するクラス４の４クラスにクラス分け設定されている。
【００２７】
次に、本実施形態の施設管理システムによる施設管理方法について説明する。
【００２８】
まず、検査会社１９の管理者などの操作によって管理装置１１に、取得したい特定のオフィスビル１の部屋１ａに設置された特定のセンサ２の識別情報が入力されると、管理装置１１のネットワーク送信部１２が、取得したい上記特定のセンサ２の識別情報をＷＡＮ７を介して中継装置９へ送信する。この際、ソフトイーサ（登録商標）などにより設定されたＶＰＮ環境で情報通信が行われる。また、管理装置１１からの送信は、任意に一時的に行う場合以外に、常時又は定期的に行っても構わない。
【００２９】
中継装置９の外部受信部１３は、ＷＡＮ７を介して上記特定のセンサ２の識別情報を受信すると共に、内部送信部１４は、電力線Ｌを介して特定のセンサ２の識別情報を送信する。
次に、電力線通信装置５の電力線受信部１５は、内蔵され一体となっているセンサ２に対応する識別情報を電力線Ｌを介して受信すると、電力線送信部３が、このセンサ２から取得した検査情報とこのセンサ２の識別情報とをデータとして電力線Ｌを介して送信する。
【００３０】
そして、中継装置９の内部受信部６は、電力線Ｌを介して上記データを受信し、さらに外部送信部８は、上記データを上述したＶＰＮ環境のＷＡＮ７を介して管理装置１１へ送信する。管理装置１１のネットワーク受信部１０は、ＷＡＮ７を介して上記データを受信することで、特定のセンサ２の検査情報を取得する。なお、取得したデータは、管理装置１１のハードディスクなどの記録装置に記録されると共に管理装置１１により所定の解析処理が実行され、検査情報及び解析結果などが液晶ディスプレイ等の表示部に表示される。
【００３１】
また、ＷＡＮ７のＶＰＮでは、アクセスできるセンサ２をそれを管理する管理会社又は設置階等の利用形態に応じてクラス分けわけしているので、クラス毎にセンサ２へのアクセス制限が行われる。
例えば、アクセス権限を上述した４クラスに分けた場合、ＶＰＮのソフトイーサにより、システム全体の管理者にクラス１のアクセス権限を与え、全センサ２へのアクセスを許可し、室内環境の管理会社にクラス２のアクセス権限を与え、室内環境情報を検出する温度センサや湿度センサ等のセンサ２へのアクセスを許可する。また、ＶＰＮのソフトイーサにより、セキュリティ管理を行う管理会社にクラス３のアクセス権限を与え、セキュリティ情報を検出するガス漏れセンサ等のセンサ２へのアクセスを許可し、オフィスビル１の１階フロア又は１階オフィスを管理するフロア（オフィス）管理者に１階に設置されたセンサ２のアクセスを許可する。
【００３２】
このように本実施形態では、センサ２からの検査情報をコンセントジャック４に接続した電力線通信装置５によって既存の電力線Ｌを用いて中継装置９に送信するため、ユーザ利用のネットワークや専用ネットワークを必要とせず、施工及び運用コストなどが低いと共にネットワークセキュリティの問題が生じ難い利点がある。また、電力線通信装置５をコンセントジャック４に接続するだけで通信接続が可能であり、特別な施工を必要とせず、電力線通信装置５の取り付け又は取り外しが容易で低コストに行えることから、常時設置だけでなく一時的な設置も容易であると共に施工時における入居者の業務中断などの負担も極めて少ない。
【００３３】
また、オフィスビル１にはサーバやルータなどの中継装置９を設けるだけで、解析などを行う管理装置１１をオフィスビル１内に設置する必要が無いため、遠隔地などにある検査会社１９に設置した一つの管理装置１１により複数のオフィスビル１をＷＡＮ７を介して集中管理することが可能であると共に、オフィスビル１毎の設備コストを低減することができる。
【００３４】
また、中継装置９と管理装置１１とが、ＷＡＮ７の中にＶＰＮを設定して接続されるので、専用線を使用しているのと同様に特定ユーザだけで構成される閉域網で送受信でき、ＷＡＮ７において高いセキュリティを得ることができる。
特に、ＶＰＮにおいて、センサ２の利用形態に応じて分けたクラス毎に、該当するセンサ２へのアクセス許可を制限的に与えるので、管理会社毎や設置階毎でアクセス制限が可能になり、クラス単位で高いセキュリティを設定することができる。
【００３５】
さらに、複数のオフィスビル１や複数のセンサ２を管理する場合、管理装置１１のネットワーク送信部１２により取得したい特定のセンサ２の識別情報をＷＡＮ７を介して送信し、中継装置９の外部受信部１３で受信すると共に受信した識別情報に対応したセンサ２の検査情報をＷＡＮ７を介して管理装置１１に返送することで、個別に選択されたセンサ２の検査情報を常時、定期的又は一時的に任意に取得することができる。
【００３６】
また、センサ２と電力線通信装置５とが一体となっているので、電力線通信装置５をコンセントジャック４に接続するだけでセンサ２も同時に設置されることになり、センサ２を別途設置する必要がなく、より設置が容易となると共に設置コストを低減することができる。
【００３７】
次に、本発明に係る施設管理システム及び施設管理方法の第２実施形態について、図４を参照して以下に説明する。なお、以下の実施形態の説明において、上記実施形態において説明した同一の構成要素には同一の符号を付し、その説明は省略する。
【００３８】
第２実施形態と第１実施形態との異なる点は、第１実施形態ではセンサ２と電力線通信装置５とが一体となっているのに対し、第２実施形態では、図４に示すように、センサ２２と電力線通信装置２５とが個別に設置されセンサ２２の検査情報を無線で送受信している点である。
すなわち、第２実施形態では、センサ２２が、検査情報を無線送信する無線送信部２３を備え、電力線通信装置２５が、検査情報を無線受信する無線受信部２６を備えている。
【００３９】
したがって、第２実施形態の施設管理システムでは、センサ２２の無線送信部２３と電力線通信装置２５の無線受信部２６とが無線で検査情報を送受信するので、センサ２２を電力線通信装置２５から離間した位置（すなわち、コンセントジャック４から離間した位置）に設置することができ、配線が不要となると共にセンサ２２の設置位置について高い自由度を得ることができる。
【００４０】
なお、本発明の技術範囲は上記実施形態に限定されるものではなく、本発明の趣旨を逸脱しない範囲において種々の変更を加えることが可能である。
【００４１】
例えば、上記各実施形態では、管理装置１１側から任意に取得したいセンサ２、２２を特定してその識別情報を送信することで特定のセンサ２、２２について検査情報を収集しているが、電力線通信装置５、２５から常時又は定期的にセンサ２、２２の検査情報を送信するように設定し、これを電力線Ｌ、中継装置９及びＷＡＮ７を介して管理装置１１が受信して取得するようにしても構わない。この場合、電力線通信装置５、２５の電力線受信部１５及び中継装置９の内部送信部１４を削除することが可能である。
【００４２】
また、上記各実施形態では、施設としてオフィスビル１の例を示したが、他の施設として例えばマンションやアパートなどの集合住宅、公共施設などの建物、一般家屋などに適用しても構わない。
また、上記各実施形態のように、サーバＳを管理装置１１とは別にＷＡＮ７に接続しているが、管理装置１１にサーバＳを設けても構わない。
【図面の簡単な説明】
【００４３】
【図１】本発明に係る施設管理システム及び施設管理方法の第１実施形態において、施設管理システムを示す全体構成図である。
【図２】第１実施形態の施設管理システムを示す全体ブロック図である。
【図３】第１実施形態の施設管理システムにおいて、一体化されたセンサ及び電力線通信装置と、コンセントジャックと、を示す斜視図である。
【図４】第２実施形態の施設管理システムにおいて、センサと、電力線通信装置と、コンセントジャックと、を示す斜視図である。
【符号の説明】
【００４４】
１…オフィスビル（施設）、２、２２…センサ、３…電力線送信部、４…コンセントジャック、５、２５…電力線通信装置、６…内部受信部、７…ＷＡＮ（外部ネットワーク）、８…外部送信部、９…中継装置、１０…ネットワーク受信部、１１…管理装置、１２…ネットワーク送信部、１３…外部受信部、１４…内部送信部、１５…電力線受信部、２３…無線送信部、２６…無線受信部、Ｌ…電力線、Ｓ…サーバ
【図１】
2007228394.tif 000003
【図２】
2007228394.tif 000004
【図３】
2007228394.tif 000005
【図４】
2007228394.tif 000006